(57)【要約】【課題】規定水位で洗い運転を行うまでの間に洗濯物に水を浸透させる場合、洗濯兼脱水槽を回転させるためにクラッチの切り替え動作を必要とせず、洗濯の全行程での運転時間が長くなることを防止でき、クラッチ切り替えの回数も減少させることができてクラッチの耐久性も向上できる洗濯機の洗い運転方法を得る。【解決手段】外箱と、この外箱内に配設する水槽と、この水槽内に回転自在に配設され底部に回転翼を設けた洗濯兼脱水槽と、この洗濯兼脱水槽の上面側から洗濯兼脱水槽内に霧状の水を供給する霧給水手段とを備える洗濯機の洗い運転方法において、給水行程の最初の段階で洗濯物に上方から霧状の水をふりかけながら回転翼のみを回転させて洗濯兼脱水槽を連れ回りにより回転させる。【選択図】        図１
2005073836.tif 000002
【特許請求の範囲】
【請求項１】
外箱と、この外箱内に配設する水槽と、この水槽内に回転自在に配設され底部に回転翼を設けた洗濯兼脱水槽と、この洗濯兼脱水槽の上面側から洗濯兼脱水槽内に霧状の水を供給する霧給水手段とを備える洗濯機の洗い運転方法において、給水行程の最初の段階で洗濯物に上方から霧状の水をふりかけながら回転翼のみを回転させて洗濯兼脱水槽を連れ回りにより回転させることを特徴とする洗濯機の洗い運転方法。
【請求項２】
前記連れ回りにより洗濯兼脱水槽を回転させながら、規定水位の約半分程度の低水位まで給水して、回転翼の回転による攪拌で洗い運転を行い、その後、連れ回りにより洗濯兼脱水槽をさらに回転させながら規定水位まで給水して回転翼の回転による攪拌で洗い運転を行うことを特徴とする請求項１記載の洗濯機の洗い運転方法。
【発明の詳細な説明】
【技術分野】
【０００１】
この発明は、全自動一槽式洗濯機の洗い運転方法に関するものである。
【背景技術】
【０００２】
図３は全自動一槽式洗濯機の一例を示し、外箱１内に水槽２を揺動自在に配設し、この水槽２の底部に回転翼４を設けた洗濯兼脱水槽３を配設するもので、水槽２の上部開口の周縁に水槽カバー７を取付けて水槽２と洗濯兼脱水槽３との間の隙間を塞ぎ、洗濯兼脱水槽３の上縁にはバランサ６を設けた。
【０００３】
水槽２の下方には、モータ８とクラッチなどの機構部９を配設し、モータ８と機構部９とをプーリ１０、Ｖベルト１１およびプーリ１２で連結した。
【０００４】
また、外箱１の上部をトップカバー１４で覆い、このトップカバー１４に給水機構１３を配設する。給水機構１３は、霧状の水を洗濯兼脱水槽３に供給するミスト給水手段を備える。
【０００５】
かかる洗濯機における運転方法は、給水を含む洗い行程、すすぎ行程、脱水行程までの全行程が自動で進行するものであるが、従来の洗い行程は、図６の説明図、図７のフローチャートに示すように、洗濯兼脱水槽３内に洗濯物を投入し、洗濯兼脱水槽３内に水の無い状態で回転翼４を回転して洗濯物の量によって回転翼４にかかる負荷量を検出し、この負荷量によって洗濯物の量をセンシングした後、洗濯物の量に適した水量が決定され、給水機構１３が動作してこの水位まで洗濯兼脱水槽３内に給水する。
【０００６】
そして、規定水量が給水されたと判断されると、給水が停止して回転翼４が回転し、規定時間例えば７分間、回転翼４が回転して攪拌による洗い運転が行われる。
【０００７】
このように洗い行程の最初に行われる給水において、洗濯物の布質が水をはじくものの場合は、洗濯物に水が浸透しにくく、その結果、洗濯物が水で湿らないために規定水位まで給水した後の回転翼を回転して行う洗い運転で水に浮いてしまい、洗浄力がばらついて洗いむらが生じたり、また、バランサと水槽カバーとの隙間に洗濯物が挟み込まれることもある。
【０００８】
そこで、かかる不都合を解消するものとして、規定水位まで給水して回転翼を回転して行う洗い運転の前に洗濯物を水になじませる運転として、洗濯兼脱水槽を回転させながら給水するようにしたものがある。
【０００９】
これは図４の説明図、図５のフローチャートに示すように、洗濯兼脱水槽３内に洗濯物を投入し、洗濯兼脱水槽３内に水の無い状態で回転翼４を回転して洗濯物の量によって回転翼４にかかる負荷量を検出し、この負荷量によって洗濯物の量をセンシングした後、クラッチを回転翼４が回転する洗濯側から脱水側に切り替える。このクラッチ切り替えには数秒間を必要とする。
【００１０】
脱水側にクラッチを切り替えることで、洗濯兼脱水槽３を回転させながら通常のメイン給水を行い、規定水量の約半分程度まで給水する。
【００１１】
規定水量の約半分までの給水が終了したならば、クラッチを脱水側から洗濯側に切り替え、回転翼４を低速で約３０秒間程度回転させて低水量での攪拌による洗いを行う。この間に洗濯物がほぐされる。
【００１２】
次に再びクラッチを洗濯側から脱水側に切り替えて、洗濯兼脱水槽３を回転させながらさらにメイン給水を行い、規定水位まで給水する。そして、最後に再びクラッチを脱水側から洗濯側に切り替えて回転翼４を回転させるようにして攪拌による洗い運転を例えば７分間行う。
【００１３】
このようにして規定水位まで給水してから行う洗い運転に先行して、低水位まで給水しながら洗濯兼脱水槽３を回転させる動作と、低水位で回転翼を回転して洗濯物を攪拌する動作とを交互に繰り返して、洗濯物をほぐしながら万遍なく水をふりかけ、十分に洗剤を溶かす（例えば特許文献１参照）。
【特許文献１】特開昭６３−５１８９５号公報
【発明の開示】
【発明が解決しようとする課題】
【００１４】
規定水位まで給水するまでの間に、洗濯物に水を浸透させるため洗濯兼脱水槽を回転させながら低水位まで給水して洗濯物に水を降りかける動作と、その後に低水位で回転翼を回転させて洗濯物を攪拌する動作とを交互に繰り返すものは、回転翼を回転させて洗濯物を攪拌させるためにクラッチを洗濯側に切り替える動作と、洗濯兼脱水槽を回転させるためにクラッチを脱水側に切り替える動作とを必要とし、かつ、これらのクラッチ切り替えは、複数回、例えば４回必要とするため、洗い行程の中ではトータルで３０秒程度を要することになる。このため、全体の洗濯運転時間もその分だけ長くなる。
【００１５】
この発明の目的は前記従来例の不都合を解消するもので、従来例に示される運転方法よりも速く水を浸透させ、洗濯物に水や洗剤が速くなじませ洗浄力が向上するとともに、洗濯兼脱水槽を回転させるためにクラッチの切り替え動作を必要とせず、洗濯の全行程での運転時間が長くなることを防止でき、クラッチ切り替えの回数も減少させることができてクラッチの耐久性も向上できる洗濯機の洗い運転方法を提供することにある。
【課題を解決するための手段】
【００１６】
請求項１記載の発明は、外箱と、この外箱内に配設する水槽と、この水槽内に回転自在に配設され底部に回転翼を設けた洗濯兼脱水槽と、この洗濯兼脱水槽の上面側から洗濯兼脱水槽内に霧状の水を供給する霧給水手段とを備える洗濯機の洗い運転方法において、給水行程の最初の段階で洗濯物に上方から霧状の水をふりかけながら回転翼のみを回転させて洗濯兼脱水槽を連れ回りにより回転させることを特徴とする。
【発明の効果】
【００１７】
以上述べたようにこの発明の洗濯機の洗い運転方法は、給水行程の最初に洗濯物に上方から霧状の水をふりかけながら回転翼を回転させると同時に洗濯兼脱水槽を連れ回りによってゆっくりと回転させるから、洗濯物に微細な霧状の水が万遍なくかかり、水が良好に浸透して、洗濯物と水や洗剤が速くなじみ洗浄力が向上することはもちろんのこと、その後の給水時における洗濯兼脱水槽の回転も回転翼を回転させることによる連れ回りで行うから、洗濯兼脱水槽の回転のためにクラッチを脱水側に切り替える必要がなく、洗濯の全行程でのクラッチ切り替えに要する時間を省略でき、洗濯時間の短縮が図れる。
【００１８】
また、全行程でクラッチ切り替えの回数も低減できるから、クラッチの耐久性も向上できるものである。
【発明を実施するための最良の形態】
【００１９】
以下、図面についてこの発明の実施の形態を詳細に説明する。図１はこの発明の洗濯機の洗い運転方法の実施の形態を示す説明図、図２は同上フローチャートで、本発明方法が実施される洗濯機の構成は図３について既に説明したとおりであるから、ここでの詳細な説明は省略する。
【００２０】
この発明の洗い運転方法も図４、図５に示した方法と同様に、まず、洗濯兼脱水槽３内に洗濯物と洗剤を投入し、クラッチを脱水側から洗濯側に切り替えて水の無い状態で回転翼４を回転させて回転翼４にかかる負荷量を検出することで洗濯物の量を判定し、この洗濯物の量に適した水量を規定水量として設定する。ここで、クラッチを脱水側から洗濯側に切り替える動作を必要とするのは、前回の洗濯で通常は最後の行程が脱水行程であり、クラッチが脱水側に切り替わった状態で洗濯の全行程が終了しているためである。
【００２１】
次いで、給水を行う。このとき、洗濯兼脱水槽３を回転させながら給水を行うことは図４、図５に示した方法と同様であるが、この発明では、クラッチを洗濯側に切り替えたままの状態で、回転翼４をゆっくりと回転させながら、この回転翼４の回転により洗濯兼脱水槽３を連れ回りにより同時に回転させ、このように回転翼４と洗濯兼脱水槽３とを同時に回転させながら給水機構１３のミスト給水手段から霧状の水を洗濯兼脱水槽３内の洗濯物の上にふりかける。
【００２２】
これにより、洗濯物の上に水が霧状になって万遍なくかかり、水を微細な霧状にして吹きかけることにより水が浸透しにくい化繊などの洗濯物に水が良好に浸透し、洗濯物と水や洗剤が早くなじみ洗浄力が向上するのはもちろんのこと、洗濯物に水がなじんで水をはじくような洗濯物物でも洗い時に浮き上がりにくくなる。また、洗剤自体にも水が当りやすくなって洗剤の溶けが早まり、洗浄力が上がる。そして、洗濯兼脱水槽は回転翼を回転させることで連れ回りによって回転するから、洗濯兼脱水槽を回転させるためにクラッチを脱水側に切り替える必要がない。
【００２３】
かかる霧状の水を給水しながらの回転翼４の回転と洗濯兼脱水槽３との連れ回り回転は、例えば３０秒間程度行う。洗濯兼脱水槽３の連れ回りは、回転翼４をゆっくりと一方向に回転させると、洗濯物が負荷となってクラッチの機能を果たし、これにより洗濯兼脱水槽３が同時に回転するものであり、洗濯兼脱水槽３を回転させるためにクラッチの切り替え動作を必要としない。また、特に洗濯物の量が少ない場合には洗濯兼脱水槽３の連れ回りは発生しないが、回転翼４を回転させると洗濯物が回転翼４上をいっしょに回転するのでこの場合も洗濯ものにまんべんなく水を当てることができる。
【００２４】
次いで、回転翼４の回転と洗濯兼脱水槽３の連れ回りによる回転とを続行しながら、霧給水ではなく通常の給水によって、規定水量の約半分程度の低水量を供給する。この給水の間も回転翼４と洗濯兼脱水槽３とは回転しているから、洗濯物に水が十分に浸透する。
【００２５】
規定水量の約半分の水量まで給水したならば、そのまま回転翼４を正逆回転して洗濯兼脱水槽３内の洗濯物および洗濯水を攪拌して低水量での洗いを、短時間、例えば３０秒間程度行う。この攪拌によって洗濯物がほぐされ、水や洗剤が洗濯物により浸透する。
【００２６】
攪拌終了後、さらに回転翼４の回転を継続し、洗濯兼脱水槽３を連れ回り回転させながら規定水量まで通常の給水を行い、さらに洗濯物に水や洗剤を浸透させる。そして、規定水量に達したならば給水を停止し、回転翼４のみを正逆回転させて設定時間、例えば７分間、洗濯兼脱水槽３内の洗濯物および洗濯水を攪拌して洗い運転を行う。
【００２７】
洗いの設定時間が経過すれば、洗い行程が終了し、排水して次のすすぎ行程に移行する。
【００２８】
このように洗い行程の間、クラッチは洗濯側に切り替わったままの状態であり、洗濯兼脱水槽３の回転は連れ回りによるようにしたから、洗濯兼脱水槽３を回転させるためにクラッチ切り替えを必要としない。
【図面の簡単な説明】
【００２９】
【図１】この発明の洗濯機の洗い運転方法の実施形態を示す説明図である。
【図２】この発明の洗濯機の洗い運転方法の実施形態を示す動作のフローチャートである。
【図３】この発明の洗い運転方法が実施される洗濯機の縦断側面図である。
【図４】洗い行程で洗濯兼脱水槽の回転を行う洗濯機の洗い方法の説明図である。
【図５】洗い行程で洗濯兼脱水槽の回転を行う洗濯機の洗い方法の動作を示すフローチャートである。
【図６】従来の洗濯機の洗い方法の説明図である。
【図７】従来の洗濯機の洗い方法の動作を示すフローチャートである。
【符号の説明】
【００３０】
１  外箱                        ２  水槽
３  洗濯兼脱水槽                ４  回転翼  
６  バランサ                    ７  水槽カバー
８  モータ                      ９  機構部
１０  プーリ                    １１  Ｖベルト
１２  プーリ                    １３  給水機構  
１４  トップカバー
【図１】
2005073836.tif 000003
【図２】
2005073836.tif 000004
【図３】
2005073836.tif 000005
【図４】
2005073836.tif 000006
【図５】
2005073836.tif 000007
【図６】
2005073836.tif 000008
【図７】
2005073836.tif 000009